(57)【要約】【課題】  遊技機の可変入賞装置において、前飾り板のデザインに幅を持たせること、若しくは可変入賞装置を小型化するために、従来の可変入賞装置に比して遊技盤表面から前飾り板裏面までの距離を縮めること目的とする。【解決手段】  遊技機３０の遊技盤３３に取り付けられる本体部３と、前記本体部３の前面に設けられ、前飾り板６を有する前カバー部２と、前記本体部３と前記前飾り板６との間に、回動自在に取り付けられる一対の羽根部材４ａ、４ｂとを有し、前記羽根部材４ａ、４ｂを回動させることで遊技球が入賞し易い状態と入賞しにくい状態とに切り替え、遊技球の入賞し易さを変化させることが可能な可変入賞装置１において、前記前飾り板６の裏面に規制片９ａ、９ｂを設け、前記羽根部材４ａ、４ｂの前面に前記規制片９ａ、９ｂが係合する規制溝１１ａ、１１ｂを設け、前記羽根部材４ａ、４ｂの規制溝１１ａ、１１ｂに前飾り板６の前記規制片９ａ、９ｂが当接することで前記羽根部材４ａ、４ｂの回動範囲が規制されるように形成して可変入賞装置１を構成した。【選択図】  図３
2006006826.tif 000002
【特許請求の範囲】
【請求項１】
遊技機の遊技盤に取り付けられる本体部と、
前記本体部の前面に設けられ、前飾り板を有する前カバー部と、
前記本体部と前記前飾り板との間に、回動自在に取り付けられる羽根部材とを有し、
前記羽根部材を回動させることで遊技球が入賞し易い状態と入賞しにくい状態とに切り替え、遊技球の入賞し易さを変化させることが可能な可変入賞装置において、
前記前飾り板の裏面に規制片を設け、前記羽根部材の前面に前記規制片が係合する規制溝を設け、前記羽根部材の規制溝に前飾り板の前記規制片が当接することで前記羽根部材の回動範囲が規制されるように形成されていることを特徴とする遊技機の可変入賞装置。
【請求項２】
前記本体部の裏面側に前記羽根部材を回動させる駆動源と該駆動源からの駆動力を伝達する駆動伝達手段が設けられ、
前記羽根部材の裏面側に裏面方向に突出する連結片が設けられ、
前記本体部に開口部が設けられ、該開口部を通して前記駆動伝達手段と前記連結片が連結し、前記開口部の開口縁に前記連結片が当接することで前記羽根部材の回動範囲が規制されるように形成されている請求項1記載の遊技機の可変入賞装置。
【発明の詳細な説明】
【技術分野】
【０００１】
本発明は、パチンコ遊技機等の遊技機の盤面に設けられる可変入賞装置に関する。
【背景技術】
【０００２】
パチンコ遊技機には、開閉する一対の羽根部材を有する可変入賞装置(いわゆるチューリップ式可変入賞装置）が遊技盤に設けられている。可変入賞装置は、左右の一対の羽根部材が反対方向に回動することで、羽根部材が開閉する。この可変入賞装置は、羽根部材が開いて遊技球が入賞し易い状態と、羽根部材が閉じて遊技球が入賞しにくい状態とを切り替えられる。
【０００３】
可変入賞装置には、羽根部材の開閉をソレノイド等の電導アクチュエータを駆動源として行う電動式可変入賞装置や、遊技球が該可変入賞装置に入賞することで機械的に羽根部材を開閉させる機械式可変入賞装置等がある。電動式可変入賞装置は入賞率を変化させる等、遊技機の遊技に変化を持たせることができる。また可変入賞装置の前面側に、多様な装飾を施した前飾り板を設けて意匠的な効果を付与している。
【０００４】
ところで、このような遊技機における可変入賞装置は、羽根部材の回動機構として、可変入賞装置の遊技盤側となる本体部にＬ字状の窓を設け、羽根部材が開放した場合に連結片がＬ字状の窓の上部内側と当接し、羽根部材の回動範囲が窓内部に規制されるように構成されている(例えば特許文献1参照）。
【０００５】
【特許文献１】特開2001-198307号公報(図3、図4)
【発明の開示】
【発明が解決しようとする課題】
【０００６】
しかし上記特許文献1に記載された可変入賞装置では、羽根部材の回動規制は羽根部材に設けられた連結片がＬ字状の窓に当接して行うといった、回動範囲の規制を一点のみで行っていたことから、遊技球が羽根部材に衝突した際に、衝突による力が連結片の部分に全部加わり、連結片を損傷してしまう虞があった。そこで、遊技球が羽根部材に衝突した際の力を分散する為に、羽根部材の回動範囲の規制を二点で行う可変入賞装置が提案されている。
【０００７】
図８〜図１１に上記従来の回動範囲の規制を二点で行う可変入賞装置を示す。この可変入賞装置１０１は、図８(ａ)、（ｂ）に示すように、前カバー部１０２と本体部１０３との間に、一対の羽根部材１０4ａ、１０４ｂを備える入賞口１０５が設けられている。前カバー部１０２には、前面側に装飾効果を有する前飾り板１０６が設けられている。
【０００８】
図９に示すように、前カバー部１０２には前飾り板１０６の後側に突出する軸部１０７ａ、１０７ｂが設けられている。また羽根部材１０４ａ、１０４ｂは、前記軸部に対応した軸穴部１０８ａ、１０８ｂが設けられ、前面側に規制片１０９ａ、１０９ｂが設けられ、後面側に連結片１１０ａ、１１０ｂが設けられている。前飾り板１０６の後側には、羽根部材１０４ａ、１０４ｂの規制片１０９ａ、１０９ｂが当接し、羽根部材１０４ａ、１０４ｂの回動範囲を規制するための規制溝１１１ａ、１１１ｂが設けられている。
【０００９】
図１０（ａ）に示すように、羽根部材１０４ａ、１０４ｂが閉鎖した状態では、規制片１０９ａ、１０９ｂが規制溝１１１ａ、１１１ｂの下端に当接し、羽根部材１０４ａ、１０４ｂが開放した状態では、図１０（ｂ）に示すように、規制片１０９ａ、１０９ｂが規制溝１１１ａ、１１１ｂの上端に当接し、回動範囲は前飾り板１０６の裏面に設けた上記規制溝１１１ａ、１１１ｂの範囲内に規制される。
【００１０】
また図１１（ａ）、（ｂ）に示すように、可変入賞装置の本体部１０３に開口部１１４を設け、羽根部材１０４ａ、１０４ｂの連結片１１０ａ、１１０ｂが開口部１１４の左右端の開口縁１１６a、１１６bと当接するように形成されている。羽根部材１０４ａ、１０４ｂが閉鎖状態では、図１１（ａ）に示すように連結片１１０ａ、１１０ｂが開口部１１４の下開口縁１１５a、１１５bに当接している。羽根部材１０４ａ、１０４ｂが開放する際は、連結片１１０ａ、１１０ｂが開口部１１４の開口縁１１６a、１１６bと当接しながら上方に回動する。そして図１１（ｂ）に示すように、連結片１１０ａ、１１０ｂが、開口部１１４の上開口縁１１４ａ、１１４ｂに当接して回動が停止する。すなわち、羽根部材１０４ａ、１０４ｂは、それぞれ前面側の規制片１０９ａ、１０９ｂと後面側の連結片１１０ａ、１１０ｂとの二点で回動範囲が規制されている。
【００１１】
上記従来の可変入賞装置では、前飾り板の意匠性を向上させるために、深い彫りを入れることが要望されている。つまり、可変入賞装置のデザインに幅を持たせることが要求されている。一方で、前記した要望とは別に可変入賞装置の前後の厚みを小さくしてコンパクトにすること等が要望されている場合がある。
【００１２】
そこで上記可変入賞装置において、デザインに幅を持たせるために、前飾り板の厚みを後側に厚くすることが考えられる。そのために可変入賞装置の他の部品の厚みを薄く形成しようとすると、図8（ｂ）及び図９に示すように、前飾り板１０６の後方に突出するように、規制溝１１１ａ、１１１ｂが設けられており、それらの厚みを薄く形成するのは、規制片が嵌合し当接することから、一定の厚みが必要でありこれ以上薄くするのは困難である。また羽根部材１０４ａ、１０４ｂの厚みを薄く形成することも考えられるが、この厚みは遊技球が通過できる大きさが必要であるから、遊技球の直径よりも薄くすることはできない。このように前飾り板の後側では、厚み方向のスペースを稼ぐことができなかった。
【００１３】
そこで前飾り板１０６の厚みを前方に厚く形成することが考えられるが、前方には遊技機のガラス板があるために、ガラス板と干渉しない範囲となると、これ以上厚みを厚くすることはできない。言い換えると、遊技機における遊技盤とガラス板との距離は一定であるから、単に前飾り板を前方に厚く形成することは実際には不可能である。そのため、上記可変入賞装置では、デザインに幅を持たせることができなかった。つまり、前飾り板の裏面に規制溝を設け、羽根部材に規制片を設けてしまうと、遊技盤表面と前飾り板裏面との距離を縮めることができないので、前飾り板を厚くすることができなかった。
【００１４】
また、可変入賞装置を小型化したいという要望に対しても、前記同様、遊技盤表面と前飾り板裏面との距離を縮めることができないため小型化が困難である。
【００１５】
このように上記従来の可変入賞装置では、遊技盤表面から前飾り板裏面までの距離を縮めることができないといった共通する欠点が内在していたため、上記した、デザインに幅を持たせることができないという問題点や、可変入賞装置を前後方向に小型化できないという問題点があった。
【００１６】
本発明は上記従来技術の欠点に鑑みなされたものであり、パチンコ遊技機等の遊技機の可変入賞装置において、デザインに幅を持たせるために前飾り板を厚く形成することが可能である可変入賞装置を提供すること、若しくは可変入賞装置を小型化することを目的とするものである。
【課題を解決するための手段】
【００１７】
本発明は、
（１）遊技機の遊技盤に取り付けられる本体部と、前記本体部の前面に設けられ、前飾り板を有する前カバー部と、前記本体部と前記前飾り板との間に、回動自在に取り付けられる羽根部材とを有し、前記羽根部材を回動させることで遊技球が入賞し易い状態と入賞しにくい状態とに切り替え、遊技球の入賞し易さを変化させることが可能な可変入賞装置において、前記前飾り板の裏面に規制片を設け、前記羽根部材の前面に前記規制片が係合する規制溝を設け、前記羽根部材の規制溝に前飾り板の前記規制片が当接することで前記羽根部材の回動範囲が規制されるように形成されていることを特徴とする遊技機の可変入賞装置、
（２）前記本体部の裏面側に前記羽根部材を回動させる駆動源と該駆動源からの駆動力を伝達する駆動伝達手段が設けられ、前記羽根部材の裏面側に裏面方向に突出する連結片が設けられ、前記本体部に開口部が設けられ、該開口部を通して前記駆動伝達手段と前記連結片が連結し、前記開口部の開口縁に前記連結片が当接することで前記羽根部材の回動範囲が規制されるように形成されている上記（１）記載の遊技機の可変入賞装置、
を要旨とする。
【発明の効果】
【００１８】
本発明可変入賞装置は、前記前飾り板の裏面に規制片を設け、前記羽根部材の前面に前記規制片が係合する規制溝を設け、前記羽根部材の規制溝に前飾り板の前記規制片が当接することで前記羽根部材の回動範囲が規制されるように構成したことにより、遊技盤表面と前飾り板裏面との距離を該規制溝が設けられていたスペース分だけ小さくすることができるので、可変入賞装置の大きさを変えることなく前飾り板を厚く形成することができる。
【００１９】
本発明可変入賞装置は、前飾り板の厚みを厚く形成できるため、前飾り板の前面に溝状の模様を形成する場合には、その溝の深さ（彫り）を深く形成することが可能であり、前飾り板の意匠性を向上させることができる。つまり、前飾り板前面側に施されるデザインに幅を持たせることができる。
【００２０】
また、本発明可変入賞装置は、前飾り板の裏面に規制溝が設けられていないから、遊技盤表面と前飾り板裏面との距離が、該規制溝を設けていたスペース分だけ小さくすることができるため、そのスペース分だけ小型化することもできる。
【００２１】
上記可変入賞装置において、駆動源と該駆動源からの駆動力を伝達する駆動伝達手段が設けられ、前記羽根部材の裏面側に裏面方向に突出する連結片が設けられ、前記本体部に開口部が設けられ、該開口部を通して前記駆動伝達手段と前記連結片が連結し、前記開口部の開口縁に前記連結片が当接することで前記羽根部材の回動範囲が規制されるように形成した場合には、羽根部材の開放、閉鎖の回動動作の規制が、羽根部材の規制溝と連結片の二点により行われる為に、一点のみで回動動作を規制する場合に比較して、羽根部材に対して遊技球が衝突した衝撃により、規制片や連結片が損傷することを良好に防止することができる。
【発明を実施するための最良の形態】
【００２２】
以下、本発明の実施例を図面を用いて詳細に説明する。本実施例ではパチンコ遊技機の始動入賞口として用いられる可変入賞装置を一例として説明する。図１は本発明可変入賞装置が用いられるパチンコ遊技機の正面図である。図２は図１に示すパチンコ遊技機の遊技盤を示す正面図である。図１に示すようにパチンコ遊技機３０は、その基本的な構成として、縦長方形の外枠３１の開口前面側に、縦長方形の中枠３２が開閉自在に組み付けられ、該中枠３２には、遊技盤３３等の各種の遊技用構成部材がセットされる。そして前記中枠３２の前面側には、機内部に配置された遊技盤３３を透視保護するためのガラス枠を備えた前枠３４と上球皿３５が共に横開き状態で開閉可能に組み付け整合されている。さらに上記中枠３２の下部には下球皿３６、打球発射装置３７等が装着されている。また特に図示しないが、中枠２の後側には機構セット板が組付けられ、その後側には、球タンク、及び各種の球経路、払出部等の裏面部品が装着セットされている。
【００２３】
なお、本明細書中において可変入賞装置の「前面」または「前側」とは、可変入賞装置がパチンコ遊技機３０の遊技盤３３に取り付けられた状態で、パチンコ遊技機３０を正面から見た場合の正面側のことであり、「後面」または「後側」とはパチンコ遊技機３０を正面から見た場合の裏面側或いは背面側のことであり、「上下左右」とはそれぞれパチンコ遊技機３０を正面から見た場合の上側、下側、左側及び右側のことである。
【００２４】
図２に示すように、図１のパチンコ遊技機３０の遊技盤３３は、前記中枠３２の遊技盤保持部に適合する略正方形に形成されている。遊技盤３３の前面は、図１に示す遊技球を発射する打球発射装置３７に連なる略円形状の案内レール３８が取付けられ、該案内レール３８に囲まれる部分が遊技領域３９として形成されている。該遊技領域３９には、液晶表示ディスプレイ（ＬＣＤ）等の図柄表示装置４０を含む遊技部品や、始動入賞口４１、大入賞口４２等の入賞装置や、装飾部材４３等の各種装置・部材を配置して、所要のゲームを展開し得るように形成されている。本発明可変入賞装置１は、図１のパチンコ遊技機３０では遊技盤３３に取り付けられた始動入賞口４１として用いられている。
【００２５】
図３〜図７は本発明可変入賞装置の実施例を示すもので、図３〜図５は従来例の装置を示す図８〜図１０に対応している。図３（ａ）、（ｂ）に示すように可変入賞装置１は、パチンコ遊技機３０の遊技盤３３に取り付けられる本体部３と、前記本体部３の前面に設けられる前カバー部２と、前記本体部３と前記前カバー部２との間に回動自在に取り付けられた左右一対の羽根部材４ａ、４ｂとから構成される。
【００２６】
図３（ｂ）及び図４に示すように、前カバー部２は、その前面側に、装飾効果を有する前飾り板６が設けられ、その後面側に、後方に突出する軸部７ａ、７ｂが設けられ、該軸部７ａ、７ｂに対して、それぞれ左右方向の内側の上側の位置に、後方に突出する規制片９ａ、９ｂが設けられている。また羽根部材４ａ、４ｂには、前記前飾り板６の裏面側と対向する面となる前側に、前記規制片９ａ、９ｂが嵌合する規制溝１１ａ、１１ｂが設けられており、該規制溝１１ａ、１１ｂが設けられている前側とは反対面の後側に、後方に突出する連結片１０ａ、１０ｂが設けられている。
【００２７】
羽根部材４ａ、４ｂは、軸穴部８ａ、８ｂが前カバー部２の軸部７ａ、７ｂに、それぞれ貫通するように挿入し、軸部７ａ、７ｂの先端が本体部３の嵌合穴１３ａ、１３ｂ（図７参照）に挿通されて、羽根部材４ａ、４ｂが軸部７ａ、７ｂを中心に回動するように取付けられる。
【００２８】
可変入賞装置１は、前記羽根部材４a、４ｂを回動させることで、遊技球が入賞し易い状態（開放状態）と、入賞しにくい状態（閉鎖状態）とが切り替えられ、遊技球の入賞し易さが変化するように形成されている。可変入賞装置１において、遊技球が入賞しにくい状態とは、図５（ａ）に示すように、一対の羽根部材４ａ、４ｂが起立して先端が上方に位置し、対向面１５ａ、１５ｂが上下方向となって、遊技球が可変入賞装置の直上からしか入賞できない状態である。この閉鎖状態における羽根部材４ａ、４ｂの対向面１５ａ、１５ｂの間隔は、遊技球がほぼ１個通過可能な幅に形成されている。
【００２９】
また可変入賞装置１において遊技球が入賞し易い状態とは、図５（ｂ）に示すように、一対の羽根部材４ａ、４ｂが軸部７ａ、７ｂを軸として先端が左右外側方向に傾くように回動し、前記の羽根部材４ａ、４ｂの対向面１５ａ、１５ｂが水平に近づいて、一対の羽根部材４ａ、４ｂの先端の間隔が広がった状態である。遊技盤面の遊技領域を上から下に落下する遊技球は、羽根部材４ａ、４ｂの間隔が拡大したことで入賞口５に導かれ易くなり、入賞口５が拡大した状態となる。
【００３０】
実施例の可変入賞装置１は、本体部３の裏面側に羽根部材を回動させる駆動源と、該駆動源からの駆動力を伝達する駆動伝達手段が設けられており、羽根部材４ａ、４ｂの裏面側に設けられた連結片１０ａ、１０ｂに、前記駆動伝達手段が連結されていて、駆動源により羽根部材４ａ、４ｂが回動するように形成されている。以下、実施例の駆動源及び駆動伝達手段について説明する。
【００３１】
図６は可変入賞装置の分解斜視図である。実施例の可変入賞装置１は、図３（ｂ）及び図６に示すように、駆動源がソレノイド５１とプランジャー５２とコイルばね５３とから構成されている。プランジャー５２は前端に係合片５９が設けられている。また前記駆動源と羽根部材を連結する駆動伝達手段としてアーム部５８が用いられる。図６に示すように、アーム部５８には、前記プランジャー５２の係合片５９が係合する係合溝５４及び、本体部３の軸穴５５ａ、５５ｂに保持されて軸支可能に形成されたアーム軸５６ａ、５６ｂが左右に設けられ、該アーム軸よりも前方側に、羽根部材後側の連結片１０ａ、１０ｂを保持するための連結凹部５７ａ、５７ｂが左右一対に設けられている。
【００３２】
上記駆動源、駆動伝達手段、前カバー部及び羽根部材等の各部品は、本体部３に取り付けられて一体化され可変入賞装置１を構成している。以下、これらの部品の組み立てについて説明する。ソレノイド５１のコアの内部にプランジャー５２をコイルばね５３を介して挿入する。プランジャー５２はコイルばね５３によって常に前方に付勢されている。プランジャー５２の係合片５９がアーム部５８の係合溝５４に係合する。アーム部５８は、アーム軸５６ａ、５６ｂが、本体部３の軸穴５５ａ、５５ｂに内側から嵌め込み、前記軸穴を中心に回動するように取付られる。ソレノイド５１は、ケース６０ａに収納されていて、該ケース６０ａの前方左右の取り付け部６０ｂに設けたねじ穴を用いて本体部３の取付部６２にビス止めされている。
【００３３】
図７は、本体部３の正面図である。図７に示すように、本体部３には前記前カバー部２の軸部７ａ、７ｂの先端を保持する嵌合穴13ａ、１３ｂが設けられている。さらに本体部３には、前記嵌合穴13ａ、１３ｂのそれぞれ左右方向内側に、本体部3を前後に貫通する開口部１４が設けられている。開口部１４の形状は、少なくとも左右の周縁が、羽根部材の連結片１０ａ、１０ｂに当接し回動範囲が規制される開口縁１２ａ、１２ｂとして形成されている。該開口縁１２ａ、１２ｂは、左右方向中央に凸となる円弧状の湾曲部２１と、該湾曲部２１に連なり上下の壁として形成された上隅部２２、下隅部２３とから構成される。上隅部２２及び下隅部２３は、連結片１０ａ、１０ｂの回動端となる位置に設けられている。
【００３４】
前カバー部２の軸部７ａ、７ｂに羽根部材４ａ、４ｂの軸穴部８ａ、８ｂを挿入し、軸部７ａ、７ｂの先端を嵌合穴13ａ、１３ｂに嵌め込む際、羽根部材４ａ、４ｂの連結片１０ａ、１０ｂは、本体部３の開口部１４の開口縁１２ａ、１２ｂに当接し、該連結片１０ａ、１０ｂの後端は本体部裏面側に飛び出すように配置する。この本体部３の裏面側に突出する連結片１０ａ、１０ｂの後端は、駆動伝達手段として設けたアーム部５８の連結凹部５７ａ、５７ｂ内に保持される。
【００３５】
以下、駆動源と駆動伝達手段を用いて羽根部材４ａ、４ｂを開閉させる機構を説明する。まずソレノイド５１に通電するとコイルが励磁し、プランジャー５２が後側に吸引される。プランジャー５２の係合片５９はアーム部５８の係合溝５４に係合している。アーム部５８において係合溝５９はアーム軸５６の上方に設けられているから、プランジャー５２が後退するとアーム軸５６を中心に回動し、前方の連結凹部５７ａ、５７ｂが上方に上がる。連結凹部５７ａ、５７ｂには、羽根部材の連結片１０ａ、１０ｂが嵌合しているから、連結凹部５７ａ、５７ｂが上方に上がると、連結片１０ａ、１０ｂも同様に上方に上がる。
【００３６】
連結片１０ａ、１０ｂが上に上がると、羽根部材４ａ、４ｂは軸穴部８ａ、８ｂを中心に回動する。羽根部材４ａ、４ｂの回動は、先端が可変入賞装置１の外側方向に倒れるように互いに反対方向に傾くように回動する。羽根部材４ａ、４ｂの対向面は、垂直方向から水平方向に向かい開放状態となる〔図３（ａ）、図５（ｂ）参照〕。
【００３７】
可変入賞装置１が開放状態となる時の羽根部材４ａ、４ｂの回動範囲の規制は、図５（ｂ）に示すように、前飾り板６の裏面に設けた規制片９ａ、９ｂが羽根部材４ａ、４ｂに設けた規制溝１１ａ、１１ｂの下側に当接すると、そこで羽根部材４ａ、４ｂの動きは停止する。このとき羽根部材４ａ、４ｂの裏面側の連結片１０ａ、１０ｂは、本体部３の開口部１４の開口縁１２ａ、１２ｂの上隅部２２、２２に当接し、羽根部材４ａ、４ｂの回動範囲が規制される。
【００３８】
可変入賞装置１を開放状態から閉鎖状態とするには、羽根部材が開放した状態でソレノイド５１の通電を遮断する。ソレノイド５１の励磁が解除されると、プランジャー５２を後退させている吸引力がなくなる。プランジャー５２は、コイルばね５３によって前方に付勢されているために、ソレノイド５１の外側に押し出され前方に移動する。プランジャー５２の係合片５９がアーム部５８の係合溝５４を前方に押し出すと、アーム部５８はアーム軸５６を中心に回動し先端の連結凹部５７が下方に下がる。アーム部５８の連結凹部５７には、羽根部材の連結片１０ａ、１０ｂが嵌合しているから、連結凹部５７が下がると連結片１０ａ、１０ｂも下に下がる。連結片１０ａ、１０ｂが下に下がると、羽根部材４ａ、４ｂは軸穴部８ａ、８ｂを中心に回動する。羽根部材４ａ、４ｂの回動は、いずれも先端が起立する方向に回動し、対向面が垂直方向に向かい閉鎖状態となる〔図５（ａ）参照〕。
【００３９】
可変入賞装置１が閉鎖状態となる時の羽根部材４ａ、４ｂの回動範囲の規制は、図５（ａ）に示すように、前飾り板６の裏側に設けた規制片９ａ、９ｂが羽根部材４ａ、４ｂに設けた規制溝１１ａ、１１ｂの上側に当接すると、そこで羽根部材４ａ、４ｂの動きは停止する。このとき羽根部材４ａ、４ｂの裏面側の連結片１０ａ、１０ｂは、本体部３の開口部１４の開口縁１２ａ、１２ｂの下隅部２３、２３に当接し、羽根部材４ａ、４ｂの回動範囲が規制される。
【００４０】
可変入賞装置１において、羽根部材４ａ、４ｂの閉鎖状態から開放状態までの間の回動範囲は所定範囲となるように規制されている。可変入賞装置１は、前飾り板６の裏面に設けられている規制片９ａ、９ｂが、前記羽根部材４ａ、４ｂの前面に設けられた規制溝１１ａ、１１ｂに当接することで、前記羽根部材４ａ、４ｂの回動範囲が規制される。
【００４１】
閉鎖状態では、図５（ａ）に示すように、規制片９ａ、９ｂは羽根部材４ａ、４ｂの規制溝１１ａ、１１ｂの上側に当接している。このとき羽根部材４ａ、４ｂの裏面側の連結片１０ａ、１０ｂは、本体部３の開口部１４の開口縁１２ａ、１２ｂの下隅部に当接している。また開放状態では、図５（ｂ）に示すように、規制片９ａ、９ｂが羽根部材４ａ、４ｂの規制溝１１ａ、１１ｂの下側に当接している。このとき羽根部材４ａ、４ｂの裏面側の連結片１０ａ、１０ｂは、本体部３の開口部１４の開口縁１２ａ、１２ｂの上隅部２２、２２に当接している。つまり、規制溝の上側から下側および開口縁の上隅部から下隅部までが羽根部材の回動範囲になっている。
【００４２】
なお上記「規制溝１１ａ、１１ｂの下側」とは、羽根部材４ａ、４ｂが閉じて先端が上を向いた状態で、下側となる部分を言う。同様に「規制溝１１ａ、１１ｂの上側」と言う場合、羽根部材４ａ、４ｂが閉じて先端が上を向いた状態で、上側となる部分を意味する。
【００４３】
羽根部材４ａ、４ｂの連結片１０ａ、１０ｂは、開口部１４の当接部１２ａ、１２ｂに当接し、羽根部材４ａ、４ｂが上隅部２２及び下隅部２３との間を湾曲部２１に沿って回動する。このように羽根部材４ａ、４ｂは、それぞれ前側の規制溝１１ａ、１１ｂと後側の連結片１０ａ、１０ｂとの前後の二点で回動範囲が規制される。このように羽根部材４ａ、４ｂの回動範囲が前後の二点で規制されるから、羽根部材４ａ、４ｂの対向面１５ａ、１５ｂに衝突した際の衝撃が前後に分配され、連結片１０ａ、１０ｂや規制片９ａ、９ｂ等に加わる衝撃が緩和される。
【００４４】
羽根部材４ａ、４ｂは、遊技者が遊技機前面側から可変入賞装置１を見た場合に、閉鎖状態から開放状態までのすべての位置において、羽根部材４ａ、４ｂ前側に設けた規制溝１１ａ、１１ｂが前飾り板６に隠れて正面の遊技者から見えない位置に形成するのが好ましい。規制溝１１ａ、１１ｂが遊技者から見えないことで、見栄えが良くなる。
【００４５】
本実施例の可変入賞装置１では、図３（ａ）及び図６に示すように、前カバー部２の羽根部材４ａ、４ｂの下方に、透明プラスチック製のレンズ６１及びカバー６２等の光学部品が取付られている。これらの光学部品は、本体部３後側に取り付けられたＬＥＤ基板６３のＬＥＤ６４から出た光を透過或いは屈折させて、可変入賞装置に装飾効果を付与するものである。可変入賞装置１には、このようなＬＥＤ基板や光学部品からなる装飾部材を取り付けることができる。
【００４６】
可変入賞装置１は、図３（ｂ）及び図６に示すように、遊技球の通過を検出可能なスイッチ１８を取り付けた案内部１９が、ソレノイド５１の下部に取り付けられている。案内部１９は図３（ｂ）に示すように、本体部３の玉通路１７に接続するように取り付けられ、可変入賞装置１の入賞口５に入賞した遊技球が玉通路１７を通り、案内部１９のスイッチ１８を通過して、可変入賞装置１の外部に排出されるように構成されている。
【００４７】
上記実施例の可変入賞装置はソレノイドなどの駆動源を用いて羽根部材を駆動させる、いわゆる電動式可変入賞装置について説明したが、本発明可変入賞装置は、駆動源のない機械式可変入賞装置にも適用することができる。以下、変更例として、駆動源のない可変入賞装置について説明する。駆動源を備えていない可変入賞装置としては、例えば実公平７−４２４６１号公報に記載の装置が挙げられる。この装置は遊技球の入賞が羽根部材を作動させる構造を備えており、可変入賞装置に遊技球が入賞するごとに、羽根部材の開放と閉鎖とが交互に繰り返される。
【００４８】
変更例の可変入賞装置は、上記実施例と同様に、前飾り板の裏面に規制片を設け、前記羽根部材の前面に前記規制片が係合する規制溝を設け、前記羽根部材の規制溝に前飾り板の前記規制片が当接することで前記羽根部材の回動範囲が規制されるように形成する以外の構成は、上記公報に記載されている構造を採用すればよい。
【図面の簡単な説明】
【００４９】
【図１】本発明可変入賞装置が取り付けられる遊技機の一例としてのパチンコ遊技機の正面図である。
【図２】図１のパチンコ遊技機の遊技盤の正面図である。
【図３】本発明の可変入賞装置の一例を示し、(ａ）は正面図であり、（ｂ）は（ａ）のＡ−Ａ線縦断面図である。
【図４】図３の可変入賞装置の前カバー部及び羽根部材を示す分解斜視図である。
【図５】図４の矢印Ｄ方向から見た正面図であり、（ａ）は羽根部材の閉鎖状態を示し、（ｂ）は羽根部材の開放状態を示す。
【図６】図３の可変入賞装置の分解斜視図である。
【図７】図３の可変入賞装置の本体部を示す正面図である。
【図８】従来の可変入賞装置を示し、(ａ）は正面図であり、（ｂ）は（ａ）のＡ−Ａ線縦断面図である。
【図９】図８の可変入賞装置の前カバー部及び羽根部材を示す分解斜視図である。
【図１０】図９の矢印Ｂ方向から見た正面図であり、（ａ）は羽根部材の閉鎖状態を示し、（ｂ）は羽根部材の開放状態を示す。
【図１１】図８の可変入賞装置の、アーム部、係合片、プランジャー、等を除いた背面図であり、（ａ）は羽根部材の閉鎖状態を示し、（ｂ）は羽根部材の開放状態を示す。
【符号の説明】
【００５０】
１  可変入賞装置
２  前カバー部
３  本体部
４ａ、４ｂ  羽根部材
６  前飾り板
７ａ、７ｂ  軸部
８ａ、８ｂ  軸穴部
９ａ、９ｂ  前飾り板の規制片
１０ａ、１０ｂ  連結片
１１ａ、１１ｂ  羽根部材の規制溝
３０  パチンコ遊技機
３３  遊技盤
４１  始動入賞口
【図１】
2006006826.tif 000003
【図２】
2006006826.tif 000004
【図３】
2006006826.tif 000005
【図４】
2006006826.tif 000006
【図５】
2006006826.tif 000007
【図６】
2006006826.tif 000008
【図７】
2006006826.tif 000009
【図８】
2006006826.tif 000010
【図９】
2006006826.tif 000011
【図１０】
2006006826.tif 000012
【図１１】
2006006826.tif 000013